(57)【要約】【課題】本発明は放電生成物発生装置に関するもので、放電生成物発生装置の切り忘れを抑制することができるものである。【解決手段】そしてこの目的を達成するために本発明は、吸気口６と吹出口５を有する本体ケース１と、この本体ケース１の外面に設けた操作部２１と、本体ケース１内に設けた放電生成物発生手段９と、この放電生成物発生手段９の運転時間を制御する制御手段２２とを備え、操作部２１は、第１の押し方と第２の押し方を有し、第１の押し方は、第２の押し方より押す時間が短く、第１の押し方では所定時間運転を行い、第２の押し方では連続運転を行なうことを特徴とするものである。【選択図】図２
2013036726.tif 000002
【特許請求の範囲】
【請求項１】
吸気口と吹出口を有する本体ケースと、この本体ケースの外面に設けた操作部と、前記本体ケース内に設けた放電生成物発生手段と、この放電生成物発生手段の運転時間を制御する制御手段とを備え、前記操作部は、第１の押し方と第２の押し方を有し、前記第１の押し方は、前記第２の押し方より押す時間が短く、前記第１の押し方では所定時間運転を行い、前記第２の押し方では連続運転を行なうことを特徴とする放電生成物発生装置。
【請求項２】
前記本体ケースの外面に表示手段を設け、この表示手段は、前記第１の押し方で所定時間運転であることを表示することを特徴とする請求項１に記載の放電生成物発生装置。
【請求項３】
前記表示手段は、所定時間運転を意味する表示と点灯部とから形成し、この点灯部は、前記第１の押し方で点灯し、前記第２の押し方では点灯しないことを特徴とする請求項２に記載の放電生成物発生装置。
【請求項４】
前記制御手段は、電源供給が停止し、再度電源供給が再開すると、電源供給が停止する以前の運転が所定時間運転の場合には、経過時間をリセットし、再度所定時間運転を行なうことを特徴とする請求項１から３のいずれかに記載の放電生成物発生装置。
【発明の詳細な説明】
【技術分野】
【０００１】
本発明は、高電圧を印加することにより放電生成物を生成し、除菌や脱臭を行なう放電生成物発生装置に関する。
【背景技術】
【０００２】
従来のこの種の放電生成物発生装置の構成は以下のようになっていた。
【０００３】
すなわち、吹出口と吸込口とを設けた本体ケースと、この本体ケース内の吸込口から吹出口への風路に放電生成物発生手段を備えた構成となっていた。
（例えば、これに類似する先行文献は下記特許文献１に記載されている。）
【先行技術文献】
【特許文献】
【０００４】
【特許文献１】特開２０１１−０３３３０４号公報
【発明の概要】
【発明が解決しようとする課題】
【０００５】
上記従来例における課題は、放電生成物発生装置を運転すると、運転音、風量が小さい為、運転していることを忘れ、切り忘れが発生するということであった。
【０００６】
すなわち、従来の物においては、室内で使用する場合に、動作スイッチを押し、運転を開始する。そして、停止時には、停止スイッチを押し、運転を停止するものである。こここで、運転音、風量が小さい為、運転していることを忘れ、停止スイッチを押し忘れると、本体は停止することなく、運転が継続する場合がある。
【０００７】
そこで本発明は、放電生成物発生装置の切り忘れを抑制することを目的とするものである。
【課題を解決するための手段】
【０００８】
そしてこの目的を達成するために本発明は、吸気口と吹出口を有する本体ケースと、この本体ケースの外面に設けた操作部と、前記本体ケース内に設けた放電生成物発生手段と、この放電生成物発生手段の運転時間を制御する制御手段とを備え、前記操作部は、第１の押し方と第２の押し方を有し、前記第１の押し方は、前記第２の押し方より押す時間が短く、前記第１の押し方では所定時間運転を行い、前記第２の押し方では連続運転を行なうことを特徴とする構成であり、これにより、初期の目的を達成するものである。
【発明の効果】
【０００９】
以上のように本発明は、吸気口と吹出口を有する本体ケースと、この本体ケースの外面に設けた操作部と、前記本体ケース内に設けた放電生成物発生手段と、この放電生成物発生手段の運転時間を制御する制御手段とを備え、前記操作部は、第１の押し方と第２の押し方を有し、前記第１の押し方は、前記第２の押し方より押す時間が短く、前記第１の押し方では所定時間運転を行い、前記第２の押し方では連続運転を行なうことを特徴とする構成であり、放電生成物発生装置の切り忘れを抑制することを目的とするものである。
【００１０】
すなわち、操作部は、第１の押し方と第２の押し方を有し、第１の押し方は、第２の押し方より押す時間が短いものである。ここで、操作部を第１の押し方で押すと、運転時間を制御する制御手段によって所定時間運転を行い、操作部を第２の押し方で押すと、運転時間を制御する制御手段によって連続運転を行うものである。つまり、使用者が放電生成物発生装置の運転を行なう場合には、操作部の第１の押し方は、第２の押し方より押す時間が短いので、第１の押し方は、第２の押し方より手間がかからず、第１の押し方が第２の押し方に比べて放電生成物発生装置の運転を行い易くなる。
【００１１】
このように、使用者が放電生成物発生装置の運転を行なう場合には、連続運転より所定時間運転の方が、操作部での操作の手間がかからないので、放電生成物発生装置の運転を行う場合には、常に所定時間運転を行い易くできるものである。
【００１２】
これらの結果により、放電生成物発生装置の切り忘れを抑制することができるものである。
【図面の簡単な説明】
【００１３】
【図１】本発明の実施の形態１の放電生成物発生装置の斜視図
【図２】本発明の同放電生成物発生装置の概略断面を示す図
【図３】本発明の同放電生成物発生装置の内部概略を示す図
【図４】本発明の同放電生成物発生手段の斜視図
【図５】本発明の同放電生成物発生手段の斜視図
【発明を実施するための形態】
【００１４】
以下、本実施形態を添付図面を用いて説明する。
【００１５】
（実施の形態１）
図１から図３に示すように、本実施形態の放電生成物発生装置は、吸気口６と吹出口５を有する本体ケース１と、この本体ケースの外面に設けた操作部２１とを備えている。
【００１６】
略円柱箱形状の本体ケース１は、本体ケースの上部である上本体ケース部２と、本体ケースの下部である下本体ケース部３と、これら上本体ケース部２と下本体ケース部３とを繋ぐ傾斜部４とから形成している。
【００１７】
上本体ケース部２は、上面が塞がれた円筒形状で、下本体ケース部３は、下面が塞がれた円筒形状である。上本体ケース部２の外周側面は、下本体ケース部３の外周側面より本体ケース１の中心軸に対して、外方に位置するものである。つまり、上本体ケース部２の直径は、下本体ケース部３の直径より大きいものである。
【００１８】
傾斜部４は、下方開口から上方開口へ向かうにつれ、徐徐に開口面積が大きくなる円筒形状で、上本体ケース部２と下本体ケース部３との間に位置すると共に、上本体ケース部２の下方の開口端部と、下本体ケース部３の上方の開口端部とを繋いでいる。
【００１９】
本体ケース１の上本体ケース部２の上面には、吹出口５を有し、傾斜部４には吸気口６を有している。吹出口５は、略横長四角形状で上本体ケース部２上面の一端側に位置し、吸気口６は、略四角形状で本体ケース１の背面側側面に位置し、着脱自在なフィルター部であるフィルター８を備えている。このフィルター８の水平断面形状は、略半円弧形状である。
【００２０】
本体ケース１の上本体ケース部２の上面の他端側には、操作部２１を備えている。この操作部２１を押すことにより、放電生成物発生装置を運転、停止させるものである。
【００２１】
本体ケース１内には、放電生成物発生手段９と、この放電生成物発生手段９の運転時間を制御する制御手段２２とを備えている。
【００２２】
放電生成物発生手段９は、吸気口６から吹出口５に送風する送風手段７と、放電生成物発生部１４と、高電圧発生部１５とから構成している。本体ケース１内の上部には、放電生成物発生部１４と送風手段７とを設け、本体ケース１内の下部には、高電圧発生部１５を備えている。
【００２３】
送風手段７は、略スクロール形状のケーシング１０と、このケーシング１０内に固定された電動機１１と、この電動機１１によって回転する羽根１２とから形成している。ケーシング１０の上面には略横長四角形状の吐出口２０を備え、側面には略リング形状の吸込口１３を設けている。この吸込口１３に対して本体ケース１の吸気口６の少なくとも一部が対向して位置する。
【００２４】
放電生成物発生部１４は、図４に示すように、放電電極１６と、この放電電極１６に対向して配置された対向電極１７とを有し、この放電電極１６を冷却する冷却部として配置したペルチェ素子１８とを備えている。高電圧発生部１５は、これらの対向電極１７と放電電極１６間に高電圧（この実施形態では−５ＫＶ）を印加するものである。
【００２５】
ペルチェ素子１８は０．７５Ｖ〜２．８Ｖ程度の電圧を印加するものであり、この実施形態では、放電電極１６側を低温にする。この放電電極１６部分で冷却されることで、結露すると、放電生成物である帯電微粒子水が発生することになる。この帯電微粒子水中のヒドロキシルラジカルが臭いと反応し、それを酸化させることで、臭いを分解することができるのである。
【００２６】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００２７】
なお、放電生成物発生部１４は、上記の帯電微粒子水に限らず、除菌や脱臭を行なう放電生成物を発生させるものであればよい。
【００２８】
放電生成物発生部１４は、送風手段７の側部に位置し、放電生成物発生部１４から伸びた連通風路２６を有している。この連通風路２６は、放電生成物発生部１４と、送風手段７の吐出口２０と本体ケース１の吸気口６との間の風路とを連通している。
【００２９】
すなわち、放電生成物発生部１４で発生した帯電微粒子水が、この連通風路２６を介して送風手段７の吐出口２０と本体ケース１の吸気口６との間の風路に流れ、更に、送風手段７によって本体ケース１の吹出口５から室内へ送風される。
【００３０】
本体ケース１の上本体ケース部２の上面の他端側には、操作部２１を備えている。この操作部２１を押すことにより、放電生成物発生手段９、送風手段７、制御手段２２を運転、停止等させるものである。
【００３１】
本実施形態における特徴は、操作部２１は、第１の押し方と第２の押し方を有し、第１の押し方は、第２の押し方より押す時間が短く、第１の押し方では所定時間運転を行い、第２の押し方では連続運転を行なうものである。
【００３２】
すなわち、操作部２１は１箇所しかなく、第１の押し方と第２の押し方を有し、第１の押し方は、第２の押し方より押す時間が短いものである。ここで、操作部２１を第１の押し方で押すと、運転時間を制御する制御手段２２によって所定時間運転を行い、操作部を第２の押し方で押すと、運転時間を制御する制御手段２２によって連続運転を行うものである。つまり、使用者が放電生成物発生装置の運転を行なう場合には、操作部２１の第１の押し方は、第２の押し方より押す時間が短いので、第１の押し方は、第２の押し方より手間がかからず、第１の押し方が第２の押し方に比べて放電生成物発生装置の運転を行い易くなる。
【００３３】
このように、使用者が放電生成物発生装置の運転を行なう場合には、連続運転より所定時間運転の方が、操作部２１での操作の手間がかからないので、放電生成物発生装置の運転を行う場合には、常に所定時間運転を行い易くできるものである。
【００３４】
これらの結果により、放電生成物発生装置の切り忘れを抑制することができるものである。
【００３５】
また、車内で使用する場合には、車載バッテリから電源供給されるものである。車種によっては、エンジンを停止しても車載バッテリから電源供給が継続する場合がある。そこで、使用者が放電生成物発生装置の連続運転を行い、放電生成物発生装置の切り忘れ、エンジンを停止した後も連続運転が続くと、車載バッテリが上がってしまうことがある。そこで、第１の押し方は、第２の押し方より押す時間が短く、つまり、第１の押し方は、第２の押し方より手間がかからないので、第１の押し方で放電生成物発生装置の運転を行い易くなる。
【００３６】
このように、連続運転より所定時間運転の方が手間がかからないので、放電生成物発生装置の運転を行う場合には、常に所定時間運転を行い易くできるものである。
【００３７】
これらの結果により、所定時間運転を行うことにより、放電生成物発生装置の切り忘れを抑制することができるものである。
【００３８】
なお、第１の押し方の押し時間の一例は、０．５から１秒であり、第２の押し方の押し時間の一例は、２から３秒である。つまり、第２の押し方の押し時間は、第１の押し方の押し時間の２から６倍である。
【００３９】
また、本体ケース１の外面である上本体ケース部２の上面の他端側に表示手段２３を設け、この表示手段２３は、第１の押し方で所定時間運転であることを表示するものである。具体的には、表示手段２３は、所定時間運転を意味する表示２４と、この表示２４の近傍に位置する点灯部２５とから形成している。この点灯部２５は、第１の押し方で点灯し、第２の押し方では点灯しないものである。なお、表示２４は、所定時間で切れる運転であることを示す文字による表示であれば良く、一例としては、「８時間切」と文字で印刷しているものである。点灯部２５の一例としては、ＬＥＤである。
【００４０】
このように、第２の押し方より押す時間が短い第１の押し方をすると、表示２４の近傍に位置する点灯部２５が点灯するので、点灯部２５が点灯しない連続運転の場合に比べ、容易に所定時間運転であることを認識できる。
【００４１】
また、制御手段２２は、電源供給が停止し、その後、再度電源供給が再開すると、電源供給が停止する以前の運転が所定時間運転の場合には、経過時間をリセットし、再度所定時間運転を行なうものである。
【００４２】
すなわち、放電生成物発生装置の運転を行う場合に、操作部２１を第１の押し方で押し、運転時間を制御する制御手段２２によって所定時間運転を行い、この所定時間運転の途中で電源供給が停止する。ここで、この電源供給の停止とは、室内で使用している場合には、室内の電源コンセントから放電生成物発生装置から伸びたプラグが抜かれた場合。または、車内で使用している場合には、車種によっては、エンジンを停止すると車載バッテリから電源供給が停止する場合があるので、エンジン停止の場合である。この電源供給が停止後に、再度電源供給が再開すると、電源供給が停止する以前の運転が所定時間運転の経過時間を０にもどし、再度所定時間運転を行なうものである。これにより、所定時間運転による早切れを抑制することができる。
【産業上の利用可能性】
【００４３】
以上のように本発明は、吸気口と吹出口を有する本体ケースと、この本体ケースの外面に設けた操作部と、前記本体ケース内に設けた静電霧化発生手段と、この静電霧化発生手段の運転時間を制御する制御手段とを備え、前記操作部は、第１の押し方と第２の押し方を有し、前記第１の押し方は、前記第２の押し方より押す時間が短く、前記第１の押し方では所定時間運転を行い、前記第２の押し方では連続運転を行なうことを特徴とする構成であり、放電生成物発生装置の切り忘れを抑制することを目的とするものである。
【００４４】
すなわち、操作部は、第１の押し方と第２の押し方を有し、第１の押し方は、第２の押し方より押す時間が短いものである。ここで、操作部を第１の押し方で押すと、運転時間を制御する制御手段によって所定時間運転を行い、操作部を第２の押し方で押すと、運転時間を制御する制御手段によって連続運転を行うものである。つまり、使用者が放電生成物発生装置の運転を行なう場合には、操作部の第１の押し方は、第２の押し方より押す時間が短いので、第１の押し方は、第２の押し方より手間がかからず、第１の押し方が第２の押し方に比べて放電生成物発生装置の運転を行い易くなる。このように、使用者が放電生成物発生装置の運転を行なう場合には、連続運転より所定時間運転の方が、操作部での操作の手間がかからないので、放電生成物発生装置の運転を行う場合には、常に所定時間運転を行い易くできるものである。
【００４５】
これらの結果により、放電生成物発生装置の切り忘れを抑制することができるものである。
【００４６】
従って、家庭用、事務所用、車載用などの、放電生成物発生装置として活用が期待されるものである。
【符号の説明】
【００４７】
１    本体ケース
２    上本体ケース部
３    下本体ケース部
４    傾斜部
５    吹出口
６    吸気口
７    送風手段
８    フィルター
９    放電生成物発生手段
１０  ケーシング
１１  電動機
１２  羽根
１３  吸込口
１４  放電生成物発生部
１５  高電圧発生部
１６  放電電極
１７  対向電極
１８  ペルチェ素子
２０  吐出口
２１  操作部
２２  制御手段
２３  表示手段
２４  表示
２５  点灯部
２６  連通風路
【図１】
2013036726.tif 000003
【図２】
2013036726.tif 000004
【図３】
2013036726.tif 000005
【図４】
2013036726.tif 000006
【図５】
2013036726.tif 000007